(57)【要約】【課題】ユーザーの組合方式により、切断板を回転し又は位置決めするができ、円弧切りと直線切りとを実施可能な切断パッドの構造を提供する。【解決手段】台板と、位置決め具と、切断板とを含む切断パッドの構造において、台板は下面に滑止層が設けてあり、且つ組付穴が一つ開設してあり、組付穴の半径方向には欠け口が少なくとも一つ開設してあり、位置決め具は一つの枢転部と、台板の欠け口に対応し枢転部の外周に形成された少なくとも一つの位置決め突起とを含み、位置決め具の枢転部が台板の組付穴内に組み付けられ、切断板は一つの固体板と固体板の上面に設けられた耐切り層とを含み、固体板の下面には枢転溝が一つ設けてあり、位置決め具の枢転部に枢転溝を枢着し、枢転溝の壁面の位置決め具にある位置決め突起に対応する箇所では位置決め溝が開設してある。【選択図】図５
0003125520.tif 000002
【実用新案登録請求の範囲】
【請求項１】
台板と、位置決め具と、切断板とを含む切断パッドの構造において、
前記台板は、下面に滑止層が設けられており、且つ組付穴が一つ開設してあり、前記組付穴の半径方向には欠け口が少なくとも一つ開設してあり、
前記位置決め具は、一つの枢転部と、前記台板の欠け口に対応し前記枢転部の外周に形成された少なくとも一つの位置決め突起とを含み、前記位置決め具の枢転部が前記台板の組付穴内に組み付けられ、前記枢転部は、その厚さが前記組付穴の高さよりも大きく、前記台板の上面から突出し、前記位置決め突起は、その厚さが前記枢転部よりも小さく、前記位置決め具の上面の高さと一致し、前記台板の欠け口に収容され、
前記切断板は、一つの固体板と、前記固体板の上面に設けられた耐切り層とを含み、前記固体板の下面には枢転溝が一つ設けてあり、前記位置決め具の枢転部に枢転溝を枢着し、前記枢転溝の壁面の前記位置決め具にある位置決め突起に対応する箇所では位置決め溝が開設してあり、
前記位置決め具が反転された場合には、前記位置決め突起の前記枢転部と高さが一致した部分は前記台板の上面から突起し、且つ前記枢転部の一部と、前記位置決め突起の一部とは、前記台板の組付穴と、前記欠け口とにそれぞれ収容され、前記切断板は、その枢転溝と位置決め溝とで、前記位置決め具の枢転部と位置決め突起とに係合し、前記台座の上面に位置決められることを特徴とする、切断パッドの構造。
【請求項２】
前記位置決め具の位置決め突起と、前記位置決め具の枢転部との厚さの比は、三分の一よりも大きくて二分の一よりも小さく、且つ前記位置決め突起の厚さは前記台板の欠け口の高さよりも小さいことを特徴とする、請求項１に記載の切断パッドの構造。
【考案の詳細な説明】
【技術分野】
【０００１】
本考案は、ＯＡ用品に係り、特に、回転も位置決めもできる切断パッドの構造に関するものである。
【背景技術】
【０００２】
美術品を作製する過程中に、卓面を保護するために、切断物の下に切断パッドを設置することは一般になり、カッターで切った後、切断パッドの表面に残る、次回の切断作業はこれに影響されることなく実施できるので、切断パッドの使用はどんどん普及するようになった。
【０００３】
しかしながら、切断作業は、直線切りだけでなく、円弧切り又は丸切りなどの場合もあり、一般の切断パッドによりユーザーが後者の切断作業を実施する場合には、腕を捻ったり体を立ったりし、又は切断パッドの位置を調整することが必要であるので、使用は極めて不便である。
【０００４】
だから、従来の回転可能な切断パッドが開発され、図１はこの切断パッドの構造を示す分解斜視図であり、図２はこの切断パッドの構造を示す斜視図である。前記切断パッドは、台板８０と切断板８１とを含み、前記台板８０は、下面に滑止層８２が設けてあり、中央に枢転穴８３が開設してあり、なお、前記切断板８１は、上面に耐切り層８４が設けてあり、下面に枢転ブロック８５が設けてあり、前記枢転ブロック８５が前記台板８０の枢転穴８３に枢着され、これにより、切断板８１と台板８０とは相対に回転可能になる。
【０００５】
そうすると、ユーザーは切断板８１を回転するだけで、腕と体が移動しなくても、円弧切り又は丸切りの切断作業を実施できるので、使用は極めて便利である。しかしながら、前記切断パッドにより直線切りの切断作業を実施する場合には、切断板８１が外力を受けて回転し易くなり、且つ切断板８１の下面に設けられた枢転ブロック８５により前記切断板８１の下面は卓面と全面的に接触できなく、だから、直線切りの切断作業は困難であり、上記問題を解決するために、磁石吸着式切断パッドが開発された。
【０００６】
図３は従来の磁石吸着式切断パッドの構造を示す分解斜視図であり、図４は従来の磁石吸着式切断パッドの構造を示す斜視図である。従来の磁石吸着式切断パッドは、台板９０と切断板９１とを含み、前記台板９０の下面の四つのコーナー及び中央には滑止層９２が設けてあり、中央の滑止層９２の上には磁石９３が埋め込んであり、前記切断板９１の上面には耐切り層９４が設けてあり、且つ切断板９１の下面の中央にも前記台板９０の磁石９３に応じて磁石９５が埋め込んであり、切断板９１は磁石９５で台板９０の磁石９３を吸着し、これにより、ユーザーの操作で切断板９１は回転可能であり、且つ磁石９５は切断板９１の下面の中央に埋め込まれたので、卓面に放置された場合には、切断板９１は卓面と全面的に接触できる。しかしながら、切断板が磁石吸着方式により台板９０に重ねるので、ユーザーが切断板９１に横方向または縦方向へ力をやや加えると、切断板９１はずれて脱落し易く、切断作業は容易に実施できない。切断パッドの回転をもっと順調にするために、切断板９１の下面と、台板９０の上面とにスムーズさせることは一般であり、そうすると、切断板９１を単に使用する場合には、切断作業の過程中に切断板９１が摺動し易いので、切断作業は困難になる。
【考案の開示】
【考案が解決しようとする課題】
【０００７】
本考案の主な目的は、ユーザーの組合方式により、切断板を回転し又は位置決めするができ、円弧切りと直線切りとを実施可能な切断パッドの構造を提供する。
【課題を解決するための手段】
【０００８】
上記目的を達成するためになされた本願の考案は、台板と、位置決め具と、切断板とを含む切断パッドの構造において、前記台板は、下面に滑止層が設けてあり、且つ組付穴が一つ開設してあり、前記組付穴の半径方向には欠け口が少なくとも一つ開設してあり、前記位置決め具は、一つの枢転部と、前記台板の欠け口に対応し前記枢転部の外周に形成された少なくとも一つの位置決め突起とを含み、前記位置決め具の枢転部が前記台板の組付穴内に組み付けられ、前記枢転部は、その厚さが前記組付穴の高さよりも大きく、前記台板の上面から突出し、前記位置決め突起は、その厚さが前記枢転部よりも小さく、前記位置決め具の上面の高さと一致し、前記台板の欠け口に収容され、前記切断板は、一つの固体板と、前記固体板の上面に設けられた耐切り層とを含み、前記固体板の下面には枢転溝が一つ設けてあり、前記位置決め具の枢転部に枢転溝を枢着し、前記枢転溝の壁面の前記位置決め具にある位置決め突起に対応する箇所では位置決め溝が開設してあり、前記位置決め具が反転された場合には、前記位置決め突起の前記枢転部と高さが一致した部分は前記台板の上面から突起し、且つ前記枢転部の一部と、前記位置決め突起の一部とは、前記台板の組付穴と、前記欠け口とにそれぞれ収容され、前記切断板は、その枢転溝と位置決め溝とで、前記位置決め具の枢転部と位置決め突起とに係合し、前記台座の上面に位置決められることを特徴とする切断パッドの構造であることを要旨としている。
【０００９】
本願の考案では、前記位置決め具の位置決め突起と、前記位置決め具の枢転部との厚さの比は、三分の一よりも大きくて二分の一よりも小さく、且つ前記位置決め突起の厚さは前記台板の欠け口の高さよりも小さいことを特徴とする請求項１に記載の切断パッドの構造であることを要旨としている。
【考案の効果】
【００１０】
本考案の切断パッドの構造によれば、ユーザーの組合方式により、切断板を回転し又は位置決めするができ、円弧切りと直線切りとを実施可能である。
【考案を実施するための最良の形態】
【００１１】
以下、添付図面を参照して本考案の好適な実施の形態を詳細に説明する。
【００１２】
まず、図５乃至図８を参照する。本考案の切断パッドの構造は、台板１と、位置決め具２と、切断板３とを含む。
【００１３】
前記台板１は、下面に滑止層１１が設けてあり、且つ中央に組付穴１２が開設してあり、前記組付穴１２の半径方向には欠け口１３が二つ開設してある。
【００１４】
前記位置決め具２は、一つの枢転部２１と、前記台板１の欠け口１３に対応し前記枢転部２１の外周に形成された二つの位置決め突起２２とを含み、前記位置決め具２２の枢転部２１が前記台板１の組付穴１２内に組み付けられ、前記枢転部２１は、その厚さが前記組付穴１２の高さよりも大きく、前記台板１の上面から突出し、前記二つの位置決め突起２２は、その厚さが前記枢転部２１よりも小さく、前記位置決め具１の上面の高さと一致し、前記台板１の欠け口１３に収容される。
【００１５】
前記二つの位置決め突起２２と、枢転部２１との厚さの比は、三分の一よりも大きくて二分の一よりも小さく、且つ前記二つの位置決め突起２２の厚さは前記台板１の欠け口１３の高さよりも小さく、これにより、位置決め具２を台板１の組付穴１２に組付けた場合には、前記枢転部２１は台板１の上面から突出し、且つ二つの位置決め突起２２は台板１の上面よりもやや低く、これにより、台板１と切断板３の接触面積が低減になり、切断板３の枢転はもっと容易になる。また、位置決め具２を反転して台板１の組付穴１２に組付けた場合には、適当の高さを持つ突起を有するので、切断板３を位置決めることができる。
【００１６】
前記切断板３は、一つの固体板３０と、前記固体板３０の上面に設けられた耐切り層３１とを含み、前記固体板３０は硬質の樹脂で作製されたものであり、これにより、前記固体板３０の上面に耐切り層３１を設けることができ、且つ切断の過程中に耐切り層３１がフラットに維持され、前記切断板３の下面には枢転溝３２が一つ設けてあり、前記位置決め具２の枢転部２１に枢転溝３２を枢着し、これにより、前記切断板３が台板１の上面に重ねて相対に枢転することができ、且つ図９乃至図１１に示す他の組合方式を可能にするために、前記枢転溝３２の壁面の前記位置決め具２にある位置決め突起２２に対応する箇所では位置決め溝３３が二つ開設してある。
【００１７】
上記のように組付けた切断パッドの構造は、切断板３は、枢転溝３２により位置決め具２の枢転部２１に枢着されて台板１に安定に重ね、台板１に対して相対に枢転でき、だから、図７と図８に示すように、ユーザーは切断板３の耐切り層３０の上で円弧切り又は丸切りを実施することができる。
【００１８】
図９乃至図１１に示すのは本考案の第二組合方式である。第二組合方式において、台板１と位置決め具２と切断板３との構造は上記の第一組合方式と同じ、だが、位置決め具２が反転されて組付けたので、使用効果は第一組合方式と異なる。
【００１９】
図９乃至図１１に示すように、前記位置決め具２の枢転部２１を下向きに組付ける場合には、複数の位置決め突起２２が台板１の欠け口１３にそれぞれ係止され、前記枢転部２１の厚さにより、位置決め具２と、複数の位置決め突起２２とは台板１の上面から突出する。切断板３の枢転溝３２と位置決め溝３３とは、台板１の上面から突出した位置決め具２と、複数の位置決め突起２２の一部とにそれぞれ嵌められ、これにより、切断板３が台板１の上で位置決められ、このとき、位置決められた切断板３の耐切り層３１の上で直線切りを実施することができる。
【００２０】
特に、本考案の切断パッドの構造において、欠け口１３と、位置決め突起２２と、位置決め溝３３との数量は互いに対応し、上記数量は、本実施例ではそれぞれ二つあると例にして説明したが、一つあってもいいし、必要を見て複数に調整してもいい。
【図面の簡単な説明】
【００２１】
【図１】従来の切断パッドの構造を示す分解斜視図である。
【図２】従来の切断パッドの構造を示す斜視図である。
【図３】従来の磁石吸着式切断パッドの構造を示す分解斜視図である。
【図４】従来の磁石吸着式切断パッドの構造を示す斜視図である。
【図５】本考案の切断パッドの構造を示す分解斜視図である。
【図６】本考案の切断パッドの構造の第一組合方式を示す分解斜視図である。
【図７】本考案の切断パッドの構造の第一組合方式の組合状態を示す断面図である。
【図８】本考案の切断パッドの構造の第一組合方式の操作方法を示す概略図である。
【図９】本考案の切断パッドの構造の第二組合方式を示す分解斜視図である。
【図１０】本考案の切断パッドの構造の第二組合方式の組合状態を示す断面図である。
【図１１】本考案の切断パッドの構造の第二組合方式の操作方法を示す概略図である。
【符号の説明】
【００２２】
８０      台板                      ８１      切断板
８２      滑止層                    ８３      枢転穴
８４      耐切り層                  ８５      枢転ブロック
９０      台板                      ９１      切断板
９２      滑止層                    ９３      磁石
９４      耐切り層                  ９５      磁石
１        台板                      １１      滑止層
１２      組付穴                    １３      欠け口
２        位置決め具                ２１      枢転部
２２      位置決め突起              ３        切断板
３０      固体板                    ３１      耐切り層
３２      枢転溝                    ３３      位置決め溝
【図１】
0003125520.tif 000003
【図２】
0003125520.tif 000004
【図３】
0003125520.tif 000005
【図４】
0003125520.tif 000006
【図５】
0003125520.tif 000007
【図６】
0003125520.tif 000008
【図７】
0003125520.tif 000009
【図８】
0003125520.tif 000010
【図９】
0003125520.tif 000011
【図１０】
0003125520.tif 000012
【図１１】
0003125520.tif 000013